(57)【特許請求の範囲】
【請求項１】
印字器フレームと、
この印字器フレーム内において互いに隣り合わせに同軸的に重ね合わせて軸方向のまわりに回転可能とした選択ホイールと、
この軸方向においてこれらの選択ホイールのいずれかを選択するとともに、この選択したいずれかの選択ホイールをその軸のまわりに回転駆動可能な操作部材と、
複数個の印字文字をそのまわりにそれぞれ形成しているとともに、これらの選択ホイールの外周係合溝にそれぞれ係合する複数の印字用エンドレスバンドと、を有する印字器の印字選択装置であって、
前記選択ホイールを回転可能に支持するとともに、その軸方向に延びる割り窓を形成したスリーブを設け、
前記操作部材は、
前記選択ホイールの前記軸方向に沿って移動操作可能であるとともに、前記軸方向のまわりに
回転操作可能なつまみと、
前記スリーブ内において往復動可能および回転可能なようにこのつまみにより操作可能である
とともに、前記スリーブの前記割り窓を通して前記選択ホイールの内周係合溝に係合して前記選
択ホイールを回転駆動可能とする駆動突起を設けたつまみシャフトと、を有するとともに、
このつまみシャフトには、前記つまみの前記軸方向に沿った前記移動操作によりいずれかの前記選択ホイールを選択可能とするとともに、前記つまみの前記軸方向のまわりの前記回転操作によりいずれかの前記印字文字を選択可能とする複数個の節度用凹部を形成してあり、
節度用凹部に係脱する節度用付勢部材を前記印字器フレームに設け、
前記節度用凹部は、前記軸方向および回転方向に節度を得るために兼用するものであることを特徴とする印字器の印字選択装置。
【請求項２】
前記つまみシャフトの前記節度用凹部は、
前記つまみシャフトにおいて、前記選択ホイールのそれぞれに対応する位置、および前記選択ホイールの回転方向に沿ってこれを形成してあることを特徴とする請求項１記載の印字器の印字選択装置。
【請求項３】
前記節度用付勢部材は、
前記つまみに近接して前記印字器フレームに形成した付勢部材取付け穴部に収容した節度用コイルスプリングおよびスチールボールであるとともに、
このスチールボールが前記節度用凹部のそれぞれに係脱可能であることを特徴とする請求項１記載の印字器の印字選択装置。
【請求項４】
前記操作部材は、
前記つまみシャフトと前記選択ホイールの前記軸方向に一体的に移動可能であるとともに前記軸方向に延びる見出し枠を有することを特徴とする請求項１記載の印字器の印字選択装置。
【請求項５】
前記操作部材は、
前記つまみシャフトと前記選択ホイールの前記軸方向に一体的に移動可能であるとともに前記軸方向に延びる選択ホイール回転規制ロッドと、を有し、
この選択ホイール回転規制ロッドは、
前記選択ホイールのうち前記操作部材により選択された前記選択ホイールのみを回転可能とする回転許容凹部を有するとともに、選択されていない前記選択ホイールの回転を規制可能とする回転規制凸部を有することを特徴とする請求項１記載の印字器の印字選択装置。
【請求項６】
前記選択ホイール回転規制ロッドの前記回転規制凸部は、
前記選択ホイールの前記外周係合溝に係合可能であることを特徴とする請求項５記載の印字器の印字選択装置。
【請求項７】
印字器フレームと、
この印字器フレーム内において互いに隣り合わせに同軸的に重ね合わせて軸方向のまわりに回転可能とした選択ホイールと、
この軸方向においてこれらの選択ホイールのいずれかを選択するとともに、この選択したいずれかの選択ホイールをその軸のまわりに回転駆動可能な操作部材と、
複数個の印字文字をそのまわりにそれぞれ形成しているとともに、これらの選択ホイールの外周係合溝にそれぞれ係合する複数の印字用エンドレスバンドと、を有する印字器の印字選択装置における操作部材の組立て方法であって、
前記操作部材は、
前記選択ホイールの前記軸方向に沿って移動操作可能であるとともに、前記軸方向のまわりに回転操作可能なつまみと、
このつまみにより操作可能であるとともに、前記選択ホイールの内周係合溝に係合して前記選択ホイールを回転駆動可能とする駆動突起を設けたつまみシャフトと、
このつまみシャフトと前記選択ホイールの前記軸方向に一体的に移動可能であるとともに前記軸方向に延びる見出し枠と、
前記つまみシャフトと前記選択ホイールの前記軸方向に一体的に移動可能であるとともに前記軸方向に延びる選択ホイール回転規制ロッドと、を有するとともに、
このつまみシャフトには、前記つまみの前記軸方向に沿った前記移動操作によりいずれかの前記選択ホイールを選択可能とするとともに、前記つまみの前記軸方向のまわりの前記回転操作によりいずれかの前記印字文字を選択可能とする複数個の節度用凹部を形成してあり、
前記見出し枠と前記選択ホイール回転規制ロッドとを一体化してインジケーターとして形成するとともに、
前記つまみに近接して前記印字器フレームに形成するとともに、導入部および有底の収容部を有した付勢部材取付け穴部に節度用付勢部材を前記導入部から収容する付勢部材収容工程と、
この節度用付勢部材が前記節度用凹部に係脱可能なように、前記つまみシャフトを前記印字器フレームのシャフト貫通取付け孔に挿通するシャフト挿通工程と、
前記インジケーターを前記つまみシャフトの組付け端部に組み付けるインジケーター組付け工程と、
前記つまみシャフトの前記組付け端部に前記つまみを組み付けるつまみ組付け工程と、
を有することを特徴とする印字器の印字選択装置における操作部材の組立て方法。
【請求項８】
前記付勢部材取付け穴部と前記シャフト貫通取付け孔とは、
互いに交差するようにこれを形成していることを特徴とする請求項７記載の印字器の印字選択装置における操作部材の組立て方法。
0004959619.tif 000002
【発明の詳細な説明】
【技術分野】
【０００１】
本発明は印字器の印字選択装置およびその操作部材の組立て方法にかかるもので、とくに携帯式のラベル印字貼付け装置などに装着される印字器の印字選択装置およびその操作部材の組立て方法に関するものである。
【背景技術】
【０００２】
従来の印字器の印字選択装置においては、たとえば特許文献１のように、印字器フレームと、操作部材と、同軸方向に互いに隣接して並べた複数個の選択ホイールと、各選択ホイールにそれぞれ係合しているとともにそれぞれ印字文字を有する複数の印字用エンドレスバンドと、を有している。
上記操作部材として、操作軸を設け、この操作軸を選択ホイールの軸方向に移動操作することにより、いずれかの選択ホイールを選択（列選択）して、いずれかの列ないし桁に位置している印字用エンドレスバンドを選択し（いわゆる、割出し操作）、さらに、操作軸を回転操作することにより印字用エンドレスバンドにおいて必要な印字文字を選択（文字選択）するようにしている。
【０００３】
上記操作部材の軸方向の移動操作による選択ホイールの列（印字用エンドレスバンドの列）の割出し操作を行っている操作者の指にかかる割出し節度（列選択時の感覚ないし手応え）を明確に伝えるための軸方向節度機構、および、上記操作部材の回転方向の回転操作による印字用エンドレスバンドの印字文字を選択する際に操作者が指に感じる各印字文字ごとの回転節度（印字文字の一文字ごとの適正なセット状態、ないしセット状態の区別の手応え）を明確に伝えるための回転方向節度機構が必要とされている。
しかしながら、従来の印字選択装置においては、上記軸方向節度機構および回転方向節度機構を別々に設けているので、構成の複雑化および部品点数の増加を避けることができないという問題がある。
【０００４】
なお、上記印字用エンドレスバンドはこれを、印字器の上方部分に位置する上記操作軸の選択ホイールの部分と、実際にスタンプ作用による印字を行う印字器の下方部分に位置する節度コマないし印字受け台部の部分との間に掛け回している。
上記印字用エンドレスバンドの印字文字を選択する際の回転節度を、上記節度コマないし印字受け台部の部分におけるバネ力のみで確保しようとする機構は、節度感が弱いとともに、この回転節度を操作軸から離れた節度コマの部分で発生させるため、操作感覚の確実性が低いという問題がある。
【０００５】
もちろん、上記軸方向節度機構および回転方向節度機構をそれぞれ組み立てるための工程を多く必要とするという問題がある。
【０００６】
【特許文献１】特許第３６８３３６６号公報
【発明の開示】
【発明が解決しようとする課題】
【０００７】
本発明は以上のような諸問題にかんがみなされたもので、選択ホイールの割出し節度のための軸方向節度機構、および印字用エンドレスバンドの印字文字の選択節度のための回転方向節度機構をともに簡略化可能な印字器の印字選択装置およびその操作部材の組立て方法を提供することを課題とする。
【０００８】
また本発明は、印字用エンドレスバンドの列およびその印字文字を選択するにあたって必要な軸方向節度機構および回転方向節度機構を操作部材におけるつまみシャフトの部分で構成することができるようにした印字器の印字選択装置およびその操作部材の組立て方法を提供することを課題とする。
【０００９】
また本発明は、部品点数を少なくすることができる印字器の印字選択装置およびその操作部材の組立て方法を提供することを課題とする。
【００１０】
また本発明は、選択ホイール自体の選択操作（割出し操作）の割出し節度を得る構成と、回転節度を得る構成と、を操作部材にともに装備することができるようにして、構成の簡略化とともに、印字選択時の手許の感覚（手応え）を良好とした印字器の印字選択装置およびその操作部材の組立て方法を提供することを課題とする。
【００１１】
また本発明は、部品点数を増やすことなく、組付け工程を簡略化可能で、作業性の向上を図ることができる印字器の印字選択装置およびその操作部材の組立て方法を提供することを課題とする。
【課題を解決するための手段】
【００１２】
すなわち本発明は、操作部材におけるつまみシャフトの円周部にその軸方向および回転方向にともに複数個の節度用凹部を形成すること、およびこれらの節度用凹部に係脱する節度用付勢部材を印字器フレームに設けることに着目したもので、第一の発明は、印字器フレームと、この印字器フレーム内において互いに隣り合わせに同軸的に重ね合わせて軸方向のまわりに回転可能とした選択ホイールと、この軸方向においてこれらの選択ホイールのいずれかを選択するとともに、この選択したいずれかの選択ホイールをその軸のまわりに回転駆動可能な操作部材と、複数個の印字文字をそのまわりにそれぞれ形成しているとともに、これらの選択ホイールの外周係合溝にそれぞれ係合する複数の印字用エンドレスバンドと、を有する印字器の印字選択装置であって、前記選択ホイールを回転可能に支持するとともに、その軸方向に延びる割り窓を形成したスリーブを設け、前記操作部材は、前記選択ホイールの前記軸方向に沿って移動操作可能であるとともに、前記軸方向のまわりに回転操作可能なつまみと、前記スリーブ内において往復動可能および回転可能なようにこのつまみにより操作可能であるとともに、前記スリーブの前記割り窓を通して前記選択ホイールの内周係合溝に係合して前記選択ホイールを回転駆動可能とする駆動突起を設けたつまみシャフトと、を有するとともに、このつまみシャフトには、前記つまみの前記軸方向に沿った前記移動操作によりいずれかの前記選択ホイールを選択可能とするとともに、前記つまみの前記軸方向のまわりの前記回転操作によりいずれかの前記印字文字を選択可能とする複数個の節度用凹部を形成してあり、節度用凹部に係脱する節度用付勢部材を前記印字器フレームに設け、前記節度用凹部は、前記軸方向および回転方向に節度を得るために兼用するものであることを特徴とする印字器の印字選択装置である。
【００１３】
第二の発明は、印字器フレームと、この印字器フレーム内において互いに隣り合わせに同軸的に重ね合わせて軸方向のまわりに回転可能とした選択ホイールと、この軸方向においてこれらの選択ホイールのいずれかを選択するとともに、この選択したいずれかの選択ホイールをその軸のまわりに回転駆動可能な操作部材と、複数個の印字文字をそのまわりにそれぞれ形成しているとともに、これらの選択ホイールの外周係合溝にそれぞれ係合する複数の印字用エンドレスバンドと、を有する印字器の印字選択装置における操作部材の組立て方法であって、前記操作部材は、前記選択ホイールの前記軸方向に沿って移動操作可能であるとともに、前記軸方向のまわりに回転操作可能なつまみと、このつまみにより操作可能であるとともに、前記選択ホイールの内周係合溝に係合して前記選択ホイールを回転駆動可能とする駆動突起を設けたつまみシャフトと、このつまみシャフトと前記選択ホイールの前記軸方向に一体的に移動可能であるとともに前記軸方向に延びる見出し枠と、前記つまみシャフトと前記選択ホイールの前記軸方向に一体的に移動可能であるとともに前記軸方向に延びる選択ホイール回転規制ロッドと、を有するとともに、このつまみシャフトには、前記つまみの前記軸方向に沿った前記移動操作によりいずれかの前記選択ホイールを選択可能とするとともに、前記つまみの前記軸方向のまわりの前記回転操作によりいずれかの前記印字文字を選択可能とする複数個の節度用凹部を形成してあり、前記見出し枠と前記選択ホイール回転規制ロッドとを一体化してインジケーターとして形成するとともに、前記つまみに近接して前記印字器フレームに形成するとともに、導入部および有底の収容部を有した付勢部材取付け穴部に節度用付勢部材を前記導入部から収容する付勢部材収容工程と、この節度用付勢部材が前記節度用凹部に係脱可能なように、前記つまみシャフトを前記印字器フレームのシャフト貫通取付け孔に挿通するシャフト挿通工程と、前記インジケーター前記つまみシャフトの組付け端部に組み付けるインジケーター組付け工程と、前記つまみシャフトの前記組付け端部に前記つまみを組み付けるつまみ組付け工程と、を有することを特徴とする印字器の印字選択装置における操作部材の組立て方法。である。
【００１４】
上記つまみシャフトの上記節度用凹部は、上記つまみシャフトにおいて、上記選択ホイールのそれぞれに対応する位置、および上記選択ホイールの回転方向に沿ってこれを形成してあることができる。
【００１５】
上記節度用付勢部材は、上記つまみに近接して上記印字器フレームに形成した付勢部材取付け穴部に収容した節度用コイルスプリングおよびスチールボールであるとともに、このスチールボールが上記節度用凹部のそれぞれに係脱可能であることができる。
【００１６】
上記操作部材は、上記つまみシャフトと上記選択ホイールの上記軸方向に一体的に移動可能であるとともに上記軸方向に延びる見出し枠を有することができる。
【００１７】
上記操作部材は、上記つまみシャフトと上記選択ホイールの上記軸方向に一体的に移動可能であるとともに上記軸方向に延びる選択ホイール回転規制ロッドと、を有し、この選択ホイール回転規制ロッドは、上記選択ホイールのうち上記操作部材により選択された上記選択ホイールのみを回転可能とする回転許容凹部を有するとともに、選択されていない上記選択ホイールの回転を規制可能とする回転規制凸部を有することができる。
【００１８】
上記選択ホイール回転規制ロッドの上記回転規制凸部は、上記選択ホイールの上記外周係合溝に係合可能であることができる。
【００１９】
上記付勢部材取付け穴部と上記シャフト貫通取付け孔とは、互いに交差するようにこれを形成していることができる。
【００２０】
上記つまみシャフトに形成する複数個の上記節度用凹部は、軸方向および回転方向において節度を得るために兼用する凹部であって、この凹部に節度用付勢部材が係脱するものである。
【発明の効果】
【００２１】
本発明による印字器の印字選択装置およびその操作部材の組立て方法においては、つまみの軸方向に沿った移動操作によりいずれかの選択ホイールを選択可能とするとともに、つまみの軸方向のまわりの回転操作によりいずれかの印字文字を選択可能とする複数個の節度用凹部をつまみシャフトに形成してあり、これらの節度用凹部に係脱する節度用付勢部材を印字器フレームに設けたので、これらの節度用凹部を介して軸方向節度機構および回転方向節度機構をそれぞれ構成することができ、部品点数を減らし、簡略化した構成とするとともに、組立て作業性を向上することができる。
【００２２】
とくに第一の発明によれば、つまみシャフトに、軸方向および回転方向に沿って複数個の節度用凹部を形成したので、それぞれの節度用凹部と節度用付勢部材との係脱作用により、軸方向における選択ホイール（印字用エンドレスバンド）の選択時の軸方向節度、および回転方向における印字用エンドレスバンドの印字文字の選択時の回転方向節度をともに得ることができる。
【００２３】
とくに第二の発明によれば、印字器フレームに形成した付勢部材取付け穴部に節度用付勢部材をまず収容し、この節度用付勢部材が節度用凹部に係脱可能なように、つまみシャフトを印字器フレームのシャフト貫通取付け孔に挿通するようにしたので、この種の印字選択装置で組立て作業が面倒なつまみシャフトの組付け工程を簡略化することができ、ついで、インジケーターおよびつまみをつまみシャフトの組付け端部に組み付けることにより、簡単かつ単純な組立て作業により印字選択装置の操作部材を組み立てることができる。
【発明を実施するための最良の形態】
【００２４】
本発明は、軸方向および回転方向において節度を得るために兼用することができる節度用凹部をつまみシャフトに形成したので、部品点数少なく、簡略化した構成で、組立て作業性良好な印字器の印字選択装置およびその操作部材の組立て方法を実現した。
【実施例】
【００２５】
つぎに本発明の実施例による印字器の印字選択装置およびその操作部材の組立て方法を図１ないし図６にもとづき説明する。
図１は、印字器１、および印字器１に装備した印字選択装置２の断面図、図２は、図１のＩＩ−ＩＩ線断面図である。
印字器１は、印字選択装置２と、印字器フレーム３と、円筒形状のスリーブ４と、印字選択用の操作部材５（図２）と、印字器フレーム３内において互いに隣り合わせに同軸的に重ね合わせて軸方向のまわりに回転可能とした複数列（図２の例では、たとえば五列）の選択ホイール６と、印字受け台部兼用節度コマ７と、複数列（図２の例では、たとえば五列）の印字用エンドレスバンド８と、節度用付勢部材９（節度用コイルスプリング１０およびスチールボール１１、図６を参照）と、を有する。
印字選択装置２は、上記印字器フレーム３、スリーブ４、操作部材５、選択ホイール６、印字受け台兼用節度コマ７、印字用エンドレスバンド８および節度用付勢部材９などを有する。
【００２６】
図３は、印字器フレーム３の側面図であって、図１も参照すると、印字器フレーム３は、その上部に見出し窓部１２を、その下部にインキローラー対向開口部１３をそれぞれ開口形成している。
インキローラー対向開口部１３において、印字用エンドレスバンド８の印字文字８Ａに接触可能にインキローラーＲが転動する。
【００２７】
スリーブ４は、印字器フレーム３内に回転可能にこれを設け、その軸方向に長く延びる、たとえば五個の割り窓１４を形成しているとともに、その外円周部に選択ホイール６と一体的に回転可能に選択ホイール６を支持している。
【００２８】
操作部材５は、選択ホイール６の軸方向において選択ホイール６のいずれかを選択するとともに、この選択したいずれかの選択ホイール６をその軸のまわりに回転駆動可能とするもので、印字器フレーム３の外部に位置するつまみ１５（図２）と、操作部材５の中央部に位置する断面円筒状のつまみシャフト１６と、つまみシャフト１６につまみ１５とともに一体的に組み付け可能なインジケーター１７と、を有する。
【００２９】
つまみ１５は、選択ホイール６の軸方向に延びるつまみシャフト１６と一体的に組み付けた短円柱状の部材であって、選択ホイール６の軸方向に沿って印字器フレーム３および選択ホイール６（印字用エンドレスバンド８）に対して移動操作可能であるとともに、軸方向のまわりに回転操作可能である。
つまみ１５には、つまみシャフト１６を挿通するためのシャフト用取付け孔１５Ａを形成してあるとともに、軸方向固定用段部１５Ｂおよびキー溝１５Ｃを形成してある（後述する図６を参照）。
【００３０】
図４は、つまみシャフト１６の軸方向断面図、図５は、つまみシャフト１６の軸方向と直交する方向の断面図である。
つまみシャフト１６は、前記スリーブ４内において往復動可能および回転可能なようにつまみ１５により操作可能であって、その先端部（つまみ１５から最遠部）に、互いに直径方向に突出する、たとえば三本の駆動突起１８を有する。
駆動突起１８は、選択ホイール６の内周側に形成した内周係合溝６Ａに沿ってスリーブ４の割り窓１４を通して軸方向には移動可能であるとともに、この内周係合溝６Ａに係合して選択ホイール６をスリーブ４とともに回転駆動可能とする。
つまみシャフト１６の外周部には、つまみ１５の軸方向に沿った移動操作によりいずれかの選択ホイール６を選択可能とするとともに、つまみ１５の軸方向のまわりの回転操作によりいずれかの印字文字８Ａを選択可能とする複数個の節度用凹部１６Ａを形成してあり、これらの節度用凹部１６Ａに係脱する節度用付勢部材９（図３、図６）を印字器フレーム３に設けている。
つまみシャフト１６の節度用凹部１６Ａは、つまみシャフト１６において、選択ホイール６のそれぞれに対応する位置、および選択ホイール６の回転方向に沿ってこれを形成してある。
具体的には、図４および図５に示すように、節度用凹部１６Ａは、選択ホイール６の数および位置に対応してその軸方向に五個、選択ホイール６（すなわち印字用エンドレスバンド８）の回転方向に対応してその円周方向に等角度間隔で五個（すなわち、各節度用凹部１６Ａの間の角度が７２度）、合計二十五個をそれぞれ形成してある。
なお、円周方向における各節度用凹部１６Ａの間の角度（円周角度）については、その円周角度に向かう距離により選択ホイール６を介して印字用エンドレスバンド８が回転する際の印字用エンドレスバンド８の各印字文字８Ａの間の距離に相当するようにこれを設計し、この円周角度分だけつまみシャフト１６が回転したときに、印字用エンドレスバンド８が一印字文字８Ａ分だけ回転移動するようにしている。
【００３１】
インジケーター１７は、つまみシャフト１６と選択ホイール６の軸方向に一体的に移動可能であるとともに、選択ホイール６の軸方向に延びており、つまみ１５およびつまみシャフト１６の回転方向では回転せず、つまみ１５およびつまみシャフト１６の選択ホイール６の軸方向への移動には一体的に移動可能であって、中央部の連結部１９と、下方部に位置する断面稲妻形の選択ホイール回転規制ロッド２０と、上方部に位置する平板状の見出し枠２１と、を一体的に形成したものである。
【００３２】
連結部１９は、その中央にシャフト用貫通孔２２を形成し、つまみシャフト１６の組付け端部２３に組み付け可能としている。組付け端部２３には、係合用突起２３Ａを突出形成している。
【００３３】
とくに図３に示すように、印字器フレーム３の一側面には、つまみシャフト１６を軸方向および回転方向に摺動可能に挿通するシャフト挿通孔２４と、選択ホイール回転規制ロッド２０を軸方向に摺動可能に挿通するロッド挿通孔２５と、見出し枠２１を軸方向に摺動可能に挿通する枠挿通孔２６と、を形成してある。
【００３４】
選択ホイール回転規制ロッド２０は、印字器フレーム３において選択ホイール６の軸方向に横断して設けたもので、操作部材５の軸方向操作によりロッド挿通孔２５に出没するように支持されるとともに、その上方部に位置している上方規制部２０Ａには、選択ホイール６のうち操作部材５により選択された選択ホイール６のみを回転可能とするようにつまみシャフト１６の駆動突起１８の部位に位置している回転許容凹部２０Ｂと、選択されていない選択ホイール６の回転を規制可能とする回転規制凸部２０Ｃと、を形成している。
【００３５】
回転許容凹部２０Ｂは、とくに図２に示すように、上方規制部２０Ａにおいてその軸方向に選択ホイール６の厚さのほぼ一枚分から二枚分未満を占めているとともに、回転規制凸部２０Ｃは、上方規制部２０Ａの大部分を占めていて、複数枚（より正確には、当該印字器１に備えられている選択ホイール６の枚数から一枚分を差し引いた枚数）の選択ホイール６の外周係合溝６Ｂに同時に係合可能である。
【００３６】
見出し枠２１は、印字器フレーム３において選択ホイール６の軸方向に横断して設けたもので、操作部材５の軸方向操作により枠挿通孔２６に出没するように支持されるとともに、とくに図２に示すように、複数枚の選択ホイール６全体（全列）を見ることができる長矩形状の見出し文字用窓２１Ａを有するとともに、見出し文字用窓２１Ａの一部すなわち、つまみシャフト１６の駆動突起１８の部位に位置して、一列分を指し示す印字合わせ用矢印２１Ｂを見出し文字用窓２１Ａ内方に突出形成している。
【００３７】
選択ホイール６は、印字用エンドレスバンド８の内側に位置して、複数列（たとえば図示の例では五列）に並べ、五列の印字用エンドレスバンド８により印字器１が五桁の印字を可能としている。
【００３８】
印字受け台兼用節度コマ７は、とくに図１および図２に示すように、選択ホイール６および印字用エンドレスバンド８とともに五列分にこれを設けているもので、断面正方形状であって、印字器フレーム３に掛け渡した印字受けピン２７のまわりに回転可能であって、その各辺にバンド係合溝７Ａを形成している。
印字受け台兼用節度コマ７は、節度押圧部材２８およびコマ用スプリング２９により回転抑制可能にこれを付勢し、操作部材５による選択ホイール６すなわち印字用エンドレスバンド８の回転操作時に、印字選択装置２とともに回転節度を得るようにしている。
【００３９】
印字用エンドレスバンド８は、その外周まわりに複数個の印字文字８Ａおよびこれら印字文字８Ａに対応した見出し文字８Ｂをその外周まわりにそれぞれの領域に分けて形成しているとともに、これらの選択ホイール６の外周係合溝６Ｂおよび印字受け台兼用節度コマ７のバンド係合溝７Ａにそれぞれ係合する駆動用突起部８Ｃをその内周まわりに形成している。
とくに図１に示すように、印字文字８Ａが印字器１の下方部におけるインキローラー対向開口部１３においてインキローラーＲに接触可能であり、この印字文字８Ａに対応する見出し文字８Ｂが上方部における見出し窓部１２において目視可能となっている。
なお、選択ホイール６（印字用エンドレスバンド８）の互いの間には、薄板状の仕切り板（図示せず）を配置し、ある選択ホイール６（印字用エンドレスバンド８）の選択時に、隣り合う選択ホイール６（印字用エンドレスバンド８）の共回りを防止可能としてある。
【００４０】
図６は、図３のＶＩ−ＶＩ線断面図であって、節度用付勢部材９と操作部材５（つまみシャフト１６）との相対関係を示している。
とくに図３および図６に示すように、印字器フレーム３には、シャフト挿通孔２４と交差するように、つまみ１５に近接して印字器フレーム３の一側面に付勢部材取付け穴部３０を形成している。
付勢部材取付穴部３０は、印字器フレーム３の一側面およびシャフト挿通孔２４にともに開口している導入部３０Ａと、シャフト挿通孔２４を挟んで導入部３０Ａに臨み、シャフト挿通孔２４に開口している有底の収容部３０Ｂと、からなっている。
導入部３０Ａからシャフト挿通孔２４をこえて収容部３０Ｂに節度用コイルスプリング１０およびスチールボール１１を収容可能である。
スチールボール１１が、節度用コイルスプリング１０の付勢力（節度力）でそれぞれの節度用凹部１６Ａに係脱可能である。
【００４１】
こうした構成の印字器１および印字選択装置２において、印字選択装置２の操作部材５の組立て方法を説明する。
印字器フレーム３に形成している付勢部材取付け穴部３０の導入部３０Ａを上側に位置させた状態で、まず節度用付勢部材９を節度用コイルスプリング１０およびスチールボール１１の順に落下収容させる（付勢部材収容工程）。
ついで、スチールボール１１が節度用凹部１６Ａに係脱可能なように、つまみシャフト１６をその組付け端部２３側から印字器フレーム３のシャフト貫通取付け孔２４に（図６中、右から左方向に）挿通する（シャフト挿通工程）。
つまみシャフト１６の組付け端部２３を印字器フレーム３の外部に突出させた状態で、インジケーター１７を図６中、左から右方向に組付け端部２３に向かって、そのシャフト用貫通孔２２に組付け端部２３が挿通するように、選択ホイール回転規制ロッド２０を印字器フレーム３のロッド挿通孔２５に挿通し、かつ、枠挿通孔２６に見出し枠２１を挿通して組み付ける（インジケーター組付け工程）。
最後に、つまみシャフト１６の組付け端部２３を、つまみ１５のシャフト用取付け孔１５Ａに挿通するようにつまみ１５を図６中、左から右方向に組み付ける（つまみ組付け工程）。
この組付けにより、組付け端部２３の係合用突起２３Ａがつまみ１５の軸方向固定用段部１５Ｂおよびキー溝１５Ｃに係合し、インジケーター１７を組付け端部２３に取り付けているとともに、つまみ１５のキー溝１５Ｃと組付け端部２３の係合用突起２３Ａとの係合により、つまみ１５の回転操作をつまみシャフト１６に伝達可能としている。
【００４２】
かくして、上述の各工程において、節度用付勢部材９、つまみシャフト１６、インジケーター１７、さらには、つまみ１５を順番に組み付けてゆくに際し、各部品について特別の位置調整などが必要なく、組立て作業性を向上させることができる。
さらに、付勢部材取付穴部３０は、その導入部３０Ａを開放状態のままとすることができ、従来のように、ネジやメクラ栓などによりその開口部を閉鎖する必要がない。
【００４３】
なお、上述のように組み立てた操作部材５のつまみシャフト１６に選択ホイール６や印字用エンドレスバンド８など必要な各部品を組み立ててゆく。
【００４４】
つぎに、所望の列における所望の印字文字８Ａを選択する操作について説明する。
とくに図２に示すように、つまみ１５から一番奥側（図２中右側）の列の選択ホイール６（印字用エンドレスバンド８）を選択して印字用エンドレスバンド８の印字文字８Ａを回転選択する場合には、操作部材５のつまみ１５を選択ホイール６の軸方向に最奥部まで押し込んで見出し枠２１の印字合わせ用矢印２１Ｂをこの列に合わせることにより、つまみシャフト１６の駆動突起１８を対応する選択ホイール６の内周係合溝６Ａに合わせて、列の選択操作（すなわち、割出し操作）を行うことができる。なお、駆動突起１８は、それぞれの選択ホイール６における内周係合溝６Ａが軸方向に揃っているので、軸方向への移動には支障ない。
さらに、つまみシャフト１６の節度用凹部１６Ａが、節度用付勢部材９のスチールボール１１に軸方向において係脱するので、操作者は、つまみ１５（つまみシャフト１６）から軸方向の節度を直接受けることができる。
【００４５】
選択した列において、上記駆動突起１８は選択ホイール回転規制ロッド２０の回転許容凹部２０Ｂに対向しているので、つまみ１５（つまみシャフト１６）を回転可能であり、したがって、選択した選択ホイール６を駆動突起１８が回転させ、すなわち、印字用エンドレスバンド８を回転させることができる。
回転の際に、選択された選択ホイール６以外の選択ホイール６については、それぞれの外周係合溝６Ｂがすべて選択ホイール回転規制ロッド２０の回転規制凸部２０Ｃに係合しているので、これら他の選択ホイール６は回転することがない。
さらに、つまみシャフト１６の節度用凹部１６Ａが、節度用付勢部材９のスチールボール１１に回転方向において係脱するので、操作者は、つまみ１５（つまみシャフト１６）から回転方向の節度を直接受けることができる。
なお、回転時に印字受け台兼用節度コマ７も必要な数だけ回転するので、所望の印字文字８ＡをインキローラーＲに対向させることができる。
【００４６】
他の列の選択ホイール６（印字用エンドレスバンド８）を選択する場合も同様である。
【図面の簡単な説明】
【００４７】
【図１】本発明の実施例による印字選択装置２を装備した印字器１の断面図である。
【図２】同、図１のＩＩ−ＩＩ線断面図である。
【図３】同、印字器フレーム３の側面図である。
【図４】同、つまみシャフト１６の軸方向断面図である。
【図５】同、つまみシャフト１６の軸方向と直交する方向の断面図である。
【図６】同、図３のＶＩ−ＶＩ線断面図である。
【符号の説明】
【００４８】
１  印字器（図１、図２）
２  印字器１の印字選択装置（実施例、図１、図２、図４）
３  印字器フレーム
４  スリーブ
５  操作部材
６  選択ホイール
６Ａ  選択ホイール６の内周係合溝
６Ｂ  選択ホイール６の外周係合溝
７  印字受け台部兼用節度コマ
７Ａ  印字受け台部兼用節度コマ７のバンド係合溝
８  印字用エンドレスバンド
８Ａ  印字用エンドレスバンド８の印字文字
８Ｂ  印字用エンドレスバンド８の見出し文字
８Ｃ  印字用エンドレスバンド８の駆動用突起部
９  節度用付勢部材（図３、図６）
１０  節度用付勢部材９の節度用コイルスプリング
１１  節度用付勢部材９のスチールボール
１２  見出し窓部
１３  インキローラー対向開口部
１４  スリーブ４の割り窓
１５  操作部材５のつまみ
１５Ａ  つまみ１５のシャフト用取付け孔（図６）
１５Ｂ  つまみ１５の軸方向固定用段部
１５Ｃ  つまみ１５のキー溝
１６  操作部材５のつまみシャフト（図４）
１６Ａ  つまみシャフト１６の節度用凹部
１７  操作部材５のインジケーター
１８  つまみシャフト１６の駆動突起
１９  インジケーター１７の連結部
２０  インジケーター１７の選択ホイール回転規制ロッド
２０Ａ  選択ホイール回転規制ロッド２０の上方規制部
２０Ｂ  選択ホイール回転規制ロッド２０の回転許容凹部
２０Ｃ  選択ホイール回転規制ロッド２０の回転規制凸部
２１  インジケーター１７の見出し枠
２１Ａ  見出し枠２１の見出し文字用窓
２１Ｂ  見出し枠２１の印字合わせ用矢印
２２  インジケーター１７のシャフト用貫通孔
２３  つまみシャフト１６の組付け端部
２３Ａ  組付け端部２３に形成した係合用突起
２４  印字器フレーム３に形成したシャフト挿通孔（図３）
２５  印字器フレーム３に形成したロッド挿通孔
２６  印字器フレーム３に形成した枠挿通孔
２７  印字受けピン
２８  節度押圧部材
２９  コマ用スプリング
３０  付勢部材取付穴部（図３、図６）
３０Ａ  付勢部材取付穴部３０の導入部
３０Ｂ  付勢部材取付穴部３０の収容部
Ｒ    インキローラー（図１）
【図１】
0004959619.tif 000003
【図２】
0004959619.tif 000004
【図３】
0004959619.tif 000005
【図４】
0004959619.tif 000006
【図５】
0004959619.tif 000007
【図６】
0004959619.tif 000008